(57)【要約】【課題】コンバータ回路に誤った制御が為される可能性を低減する。【解決手段】電流検出回路６は、電力変換システム１と電力系統との間に流れる電流を検出する。検知部２２は、電流検出回路６が検出した検出電流値に応じて電流検出回路６の異常の有無を検知する。電流検出回路６に異常が有ることを検知部２２が検知しているとき、第２制御部２１２は、コンバータ回路（第１コンバータ回路４）が充電動作と放電動作とのうち充電動作のみを行えるようにする。電流検出回路６に異常が有ることを検知部２２が検知している状態が所定時間継続すると、第２制御部２１２は、コンバータ回路を停止させる。【選択図】図１
2019103161.tif 000002
【特許請求の範囲】
【請求項１】
電力変換システムに備えられる制御装置であって、
前記電力変換システムは、
分散型電源に接続され、前記分散型電源から直流電力が供給される中間バスと、
蓄電池及び前記中間バスに接続され、前記中間バスからの直流電力を前記蓄電池に出力する充電動作と、前記蓄電池からの直流電力を前記中間バスに出力する放電動作と、を行うコンバータ回路と、
負荷及び電力系統に接続され、前記中間バスを介して前記コンバータ回路及び前記分散型電源に接続され、前記中間バスからの直流電力を交流電力に変換して前記負荷又は前記電力系統に出力するインバータ回路と、
前記電力変換システムと前記電力系統との間に流れる電流を検出する電流検出回路と、を備え、
前記制御装置は、
前記電流検出回路が検出した検出電流値に応じて前記コンバータ回路及び前記インバータ回路を制御する第１制御部と、
前記検出電流値に応じて前記電流検出回路の異常の有無を検知する検知部と、
前記検知部の検知結果に応じて前記コンバータ回路を制御する第２制御部と、を有し、
前記電流検出回路に異常が有ることを前記検知部が検知しているとき、前記第２制御部は、前記コンバータ回路が前記充電動作と前記放電動作とのうち前記充電動作のみを行えるようにし、
前記電流検出回路に異常が有ることを前記検知部が検知している状態が所定時間継続すると、前記第２制御部は、前記コンバータ回路を停止させる
ことを特徴とする制御装置。
【請求項２】
前記電力系統と前記電力変換システムとは、Ｌ１相の配線、Ｌ２相の配線及びＮ相の配線を含む単相３線式の電路において互いに接続され、
前記電流検出回路は、前記Ｌ１相の前記配線に流れる電流を検出する第１電流センサと、前記Ｌ２相の前記配線に流れる電流を検出する第２電流センサと、を含み、
前記検知部は、前記第１電流センサが検出した第１検出電流値と、前記第２電流センサが検出した第２検出電流値とのうち少なくとも一方が、所定範囲内の場合に、前記電流検出回路に異常が有ることを検知する
ことを特徴とする請求項１記載の制御装置。
【請求項３】
前記電流検出回路に異常が有ることを前記検知部が検知している前記状態が、前記所定時間継続する前に、前記第１検出電流値と前記第２検出電流値とが共に、前記所定範囲を包含する規定の範囲から外れると、前記検知部は、前記電流検出回路に異常が無いことを検知する
ことを特徴とする請求項２記載の制御装置。
【請求項４】
前記蓄電池の充電レベルが所定レベル以下になると、前記コンバータ回路は前記充電動作を行い、
前記所定時間は、前記蓄電池が満充電状態から自己放電して前記充電レベルが前記所定レベル以下になるのに要する時間よりも長い
ことを特徴とする請求項３記載の制御装置。
【請求項５】
前記検知部は、少なくとも前記コンバータ回路が前記放電動作を行っているときに、前記電流検出回路の異常の有無を検知する
ことを特徴とする請求項１〜４のいずれか一項に記載の制御装置。
【請求項６】
前記電流検出回路に異常が有ることを前記検知部が検知している前記状態が継続しているとき、現時点と、前記電流検出回路に異常が有ることを前記検知部が検知している前記状態になってからの経過時間が前記所定時間に達する時点との間の時間の長さを表す情報を提示する提示部を更に有する
ことを特徴とする請求項１〜５のいずれか一項に記載の制御装置。
【請求項７】
請求項１〜６のいずれか一項に記載の制御装置と、
前記インバータ回路と、を備える
ことを特徴とする電力変換システム。
【請求項８】
前記コンバータ回路を更に備える
ことを特徴とする請求項７記載の電力変換システム。
【請求項９】
前記中間バスと、
前記電流検出回路と、を更に備える
ことを特徴とする請求項８記載の電力変換システム。
【請求項１０】
コンピュータを、電力変換システムに備えられる制御装置として機能させるプログラムであって、
前記電力変換システムは、
分散型電源に接続され、前記分散型電源から直流電力が供給される中間バスと、
蓄電池及び前記中間バスに接続され、前記中間バスからの直流電力を前記蓄電池に出力する充電動作と、前記蓄電池からの直流電力を前記中間バスに出力する放電動作と、を行うコンバータ回路と、
負荷及び電力系統に接続され、前記中間バスを介して前記コンバータ回路及び前記分散型電源に接続され、前記中間バスからの直流電力を交流電力に変換して前記負荷又は前記電力系統に出力するインバータ回路と、
前記電力変換システムと前記電力系統との間に流れる電流を検出する電流検出回路と、を備え、
前記制御装置は、
前記電流検出回路が検出した検出電流値に応じて前記コンバータ回路及び前記インバータ回路を制御し、
前記検出電流値に応じて前記電流検出回路の異常の有無を検知し、
前記電流検出回路に異常が有ることを検知しているとき、前記コンバータ回路が前記充電動作と前記放電動作とのうち前記充電動作のみを行えるようにし、
前記電流検出回路に異常が有ることを検知している状態が所定時間継続すると、前記コンバータ回路を停止させる
ことを特徴とするプログラム。
【発明の詳細な説明】
【技術分野】
【０００１】
本発明は制御装置、電力変換システム及びプログラムに関し、より詳細には、コンバータ回路とインバータ回路とを制御する制御装置、電力変換システム及びプログラムに関する。
【背景技術】
【０００２】
従来例として特許文献１記載の電力変換システムを例示する。特許文献１記載の電力変換システムは、電力変換装置を備える。電力変換装置には、蓄電部が接続されている。電力変換装置は、例えば、太陽電池等の発電装置から直流電力の供給を受けることができる。電力変換装置は、ＤＣ−ＤＣコンバータ（コンバータ回路）と、ＤＣ−ＡＣコンバータ（インバータ回路）と、制御部と、を含む。ＤＣ−ＤＣコンバータは、蓄電部を充放電する。ＤＣ−ＡＣコンバータは、直流電力を交流電力に変換して、当該交流電力を系統に接続された配電線に出力する。制御部は、ＤＣ−ＤＣコンバータ及びＤＣ−ＡＣコンバータを制御する。電力変換装置と系統とをつなぐ配電線には、電流センサが設置され、電流センサは、当該配電線を流れる電流の値を検出し、制御部に出力する。
【先行技術文献】
【特許文献】
【０００３】
【特許文献１】特開２０１７−１３５８８９号公報
【発明の概要】
【発明が解決しようとする課題】
【０００４】
しかしながら、特許文献１記載の電力変換システムでは、電流センサを含む回路（電流検出回路）に異常が発生すると、電力変換装置と系統とをつなぐ配電線を流れる電流の値を電流センサが正確に検出できない状態で、制御部が電流センサの検出電流値に応じてＤＣ−ＤＣコンバータを制御する可能性があった。これにより、ＤＣ−ＤＣコンバータに誤った制御が為される可能性があった。
【０００５】
本発明は、コンバータ回路に誤った制御が為される可能性を低減できる制御装置、電力変換システム及びプログラムを提供することを目的とする。
【課題を解決するための手段】
【０００６】
上記の課題を解決するために、本発明の一態様に係る制御装置は、電力変換システムに備えられる。前記電力変換システムは、中間バスと、コンバータ回路と、インバータ回路と、電流検出回路と、を備える。前記中間バスは、分散型電源に接続され、前記分散型電源から直流電力が供給される。前記コンバータ回路は、蓄電池及び前記中間バスに接続される。前記コンバータ回路は、充電動作と、放電動作と、を行う。前記コンバータ回路は、前記充電動作において、前記中間バスからの直流電力を前記蓄電池に出力する。前記コンバータ回路は、前記放電動作において、前記蓄電池からの直流電力を前記中間バスに出力する。前記インバータ回路は、負荷及び電力系統に接続される。前記インバータ回路は、前記中間バスを介して前記コンバータ回路及び前記分散型電源に接続される。前記インバータ回路は、前記中間バスからの直流電力を交流電力に変換して前記負荷又は前記電力系統に出力する。前記電流検出回路は、前記電力変換システムと前記電力系統との間に流れる電流を検出する。前記制御装置は、第１制御部と、検知部と、第２制御部と、を有する。前記第１制御部は、前記電流検出回路が検出した検出電流値に応じて前記コンバータ回路及び前記インバータ回路を制御する。前記検知部は、前記検出電流値に応じて前記電流検出回路の異常の有無を検知する。前記第２制御部は、前記検知部の検知結果に応じて前記コンバータ回路を制御する。前記電流検出回路に異常が有ることを前記検知部が検知しているとき、前記第２制御部は、前記コンバータ回路が前記充電動作と前記放電動作とのうち前記充電動作のみを行えるようにする。前記電流検出回路に異常が有ることを前記検知部が検知している状態が所定時間継続すると、前記第２制御部は、前記コンバータ回路を停止させる。
【０００７】
本発明の一態様に係る電力変換システムは、前記制御装置と、前記インバータ回路と、を備える。
【０００８】
本発明の一態様に係るプログラムは、コンピュータを、電力変換システムに備えられる制御装置として機能させる。前記電力変換システムは、中間バスと、コンバータ回路と、インバータ回路と、電流検出回路と、を備える。前記中間バスは、分散型電源に接続され、前記分散型電源から直流電力が供給される。前記コンバータ回路は、蓄電池及び前記中間バスに接続される。前記コンバータ回路は、充電動作と、放電動作と、を行う。前記コンバータ回路は、前記充電動作において、前記中間バスからの直流電力を前記蓄電池に出力する。前記コンバータ回路は、前記放電動作において、前記蓄電池からの直流電力を前記中間バスに出力する。前記インバータ回路は、負荷及び電力系統に接続される。前記インバータ回路は、前記中間バスを介して前記コンバータ回路及び前記分散型電源に接続される。前記インバータ回路は、前記中間バスからの直流電力を交流電力に変換して前記負荷又は前記電力系統に出力する。前記電流検出回路は、前記電力変換システムと前記電力系統との間に流れる電流を検出する。前記制御装置は、前記電流検出回路が検出した検出電流値に応じて前記コンバータ回路及び前記インバータ回路を制御する。前記制御装置は、前記検出電流値に応じて前記電流検出回路の異常の有無を検知する。前記制御装置は、前記電流検出回路に異常が有ることを検知しているとき、前記コンバータ回路が前記充電動作と前記放電動作とのうち前記充電動作のみを行えるようにする。前記制御装置は、前記電流検出回路に異常が有ることを検知している状態が所定時間継続すると、前記コンバータ回路を停止させる。
【発明の効果】
【０００９】
本発明の一態様に係る制御装置、電力変換システム及びプログラムによれば、コンバータ回路に誤った制御が為される可能性を低減できる。
【図面の簡単な説明】
【００１０】
【図１】図１は、一実施形態に係る電力変換システムのブロック図である。
【図２】図２は、同上の電力変換システムの動作を示すフローチャートである。
【図３】図３は、同上の電力変換システムの動作を示すフローチャートである。
【図４】図４は、同上の電力変換システムにおける、電流検出回路の検出電流値及び蓄電池の出力電力の時間的変化の第１例を示す図である。
【図５】図５は、同上の電力変換システムにおける、電流検出回路の検出電流値及び蓄電池の出力電力の時間的変化の第２例を示す図である。
【図６】図６は、実施形態の変形例３に係る電力変換システムのブロック図である。
【発明を実施するための形態】
【００１１】
以下、実施形態に係る制御装置、電力変換システム及びプログラムについて、図面を用いて説明する。ただし、以下に説明する実施形態は、本開示の様々な実施形態の一部に過ぎない。下記の実施形態は、本開示の目的を達成できれば、設計等に応じて種々の変更が可能である。
【００１２】
なお、図１、６は電力変換システム１、１Ａを簡略化して示した図であり、必ずしも電力変換システム１、１Ａの実際の回路構成を正確に示しているとは限らない。
【００１３】
（１）概要
本実施形態の電力変換システム１は、集合住宅の各住戸、戸建て住宅、工場、事務所等の各需要家において用いられる。
【００１４】
電力変換システム１は、図１に示すように、制御装置２と、インバータ回路３と、第１コンバータ回路４（コンバータ回路）と、中間バスＷ１と、電流検出回路６と、を備えている。電力変換システム１は、第２コンバータ回路５を更に備えている。
【００１５】
電力変換システム１には、太陽電池を含む分散型電源ＰＶ１と、蓄電池ＳＢ１と、複数（図１では２つ）の負荷７１、７２と、電力系統と、が接続される。電力系統と電力変換システム１とは、単相３線式の電路Ｗ２において互いに接続している。蓄電池ＳＢ１は、電力系統の系統電源ＰＳ１及び分散型電源ＰＶ１から電力が供給されて充電される。複数の負荷７１、７２は、例えば、電気機器である。複数の負荷７１、７２には、電力系統の系統電源ＰＳ１及びインバータ回路３から電力が供給される。電力系統には、インバータ回路３から電力が逆潮流することがある。蓄電池ＳＢ１が放電しているときに、インバータ回路３から電力系統へ所定の電流値Ｉｃ１（図４参照）よりも大きい電流に対応した電力が逆潮流しないように、インバータ回路３及び第１コンバータ回路４が制御装置２により制御される。
【００１６】
（２）構成の詳細
中間バスＷ１は、第２コンバータ回路５を介して、分散型電源ＰＶ１に接続されている。また、中間バスＷ１は、第１コンバータ回路４及びインバータ回路３に接続されている。つまり、中間バスＷ１は、分散型電源ＰＶ１、第１コンバータ回路４及びインバータ回路３を相互に接続している。
【００１７】
第１コンバータ回路４は、中間バスＷ１に加えて、蓄電池ＳＢ１にも接続されている。第１コンバータ回路４は、双方向ＤＣ／ＤＣコンバータ回路である。
【００１８】
蓄電池ＳＢ１は、第１コンバータ回路４から直流電力の供給を受けて充電される。また、蓄電池ＳＢ１は、蓄電した電力を直流電力として第１コンバータ回路４に出力する。
【００１９】
第１コンバータ回路４は、充電動作と、放電動作と、を行う。第１コンバータ回路４は、充電動作において、中間バスＷ１からの直流電力を電力変換（例えば、昇圧又は降圧）して蓄電池ＳＢ１に出力する。第１コンバータ回路４は、放電動作において、蓄電池ＳＢ１からの直流電力を電力変換（例えば、昇圧又は降圧）して中間バスＷ１に出力する。第１コンバータ回路４は、充電動作と放電動作とのうちいずれも行わないとき停止する。
【００２０】
分散型電源ＰＶ１は、発電により生じた直流電力を第２コンバータ回路５に出力する。
【００２１】
第２コンバータ回路５は、分散型電源ＰＶ１からの直流電力を電力変換（例えば、昇圧又は降圧）して中間バスＷ１に出力する。すなわち、分散型電源ＰＶ１からの直流電力が、第２コンバータ回路５を介して、中間バスＷ１に供給される。
【００２２】
インバータ回路３は、中間バスＷ１を介して第１コンバータ回路４及び分散型電源ＰＶ１に接続されている。また、インバータ回路３は、複数の負荷７１、７２及び電力系統に接続されている。
【００２３】
インバータ回路３は、双方向ＤＣ／ＡＣインバータ回路である。インバータ回路３は、中間バスＷ１からの直流電力を交流電力に変換して複数の負荷７１、７２又は電力系統に出力する。より詳細には、インバータ回路３は、分散型電源ＰＶ１及び蓄電池ＳＢ１から出力されて中間バスＷ１を介して供給される直流電力を、交流電力に変換して複数の負荷７１、７２又は電力系統に出力する。さらに、インバータ回路３は、電力系統（系統電源ＰＳ１）からの交流電力を直流電力に変換して蓄電池ＳＢ１に出力する。
【００２４】
本明細書では、電力系統の単相３線式の電路と、電力変換システム１の単相３線式の電路とを合わせて、電路Ｗ２とする。電力系統の単相３線式の電路は、電力変換システム１の単相３線式の電路につながっている。つまり、電力系統と電力変換システム１とは、単相３線式の電路Ｗ２において互いに接続されている。単相３線式の電路Ｗ２は、Ｌ１相の配線Ｗ２１、Ｌ２相の配線Ｗ２２及びＮ相の配線Ｗ２３を含む。Ｎ相の配線Ｗ２３は、中性線であり、接地されている。Ｌ１相の配線Ｗ２１とＬ２相の配線Ｗ２２とに電流が流れる。Ｌ１相の配線Ｗ２１とＮ相の配線Ｗ２３との間の電圧及び、Ｌ２相の配線Ｗ２２とＮ相の配線Ｗ２３との間の電圧は、１００Ｖである。
【００２５】
電力変換システム１は、２つのコンデンサＣ１、Ｃ２を更に含む。電力変換システム１において、Ｌ１相の配線Ｗ２１とＮ相の配線Ｗ２３との間には、負荷７１とコンデンサＣ１とが並列に接続されている。電力変換システム１において、Ｌ２相の配線Ｗ２２とＮ相の配線Ｗ２３との間には、負荷７２とコンデンサＣ２とが並列に接続されている。インバータ回路３は、Ｌ１相の配線Ｗ２１とＬ２相の配線Ｗ２２とに接続されている。
【００２６】
電流検出回路６は、第１電流センサＣＴ１と、第２電流センサＣＴ２と、を含む。第１電流センサＣＴ１と第２電流センサＣＴ２とはそれぞれ、例えば、カレントトランスである。電力変換システム１において、第１電流センサＣＴ１には、Ｌ１相の配線Ｗ２１が通されている。電力変換システム１において、第２電流センサＣＴ２には、Ｌ２相の配線Ｗ２２が通されている。第１電流センサＣＴ１は、Ｌ１相の配線Ｗ２１に流れる電流を検出する。第２電流センサＣＴ２は、Ｌ２相の配線Ｗ２２に流れる電流を検出する。これにより、電流検出回路６は、電力変換システム１と電力系統との間に流れる電流を検出する。
【００２７】
電流検出回路６は、配線Ｗ３１、Ｗ３２を更に含む。第１電流センサＣＴ１は、配線Ｗ３１を介して制御装置２と接続されている。第２電流センサＣＴ２は、配線Ｗ３２を介して制御装置２と接続されている。電流検出回路６は、制御装置２の内部の回路のうち、配線Ｗ３１及び配線Ｗ３２につながっている回路を更に含む。
【００２８】
電流検出回路６は、検出した検出電流値を、制御装置２の第１制御部２１１及び検知部２２に出力する。電流検出回路６が検出した検出電流値とは、第１電流センサＣＴ１が検出した第１検出電流値Ｉ１（図４参照）と、第２電流センサＣＴ２が検出した第２検出電流値Ｉ２（図４参照）とである。第１、第２検出電流値Ｉ１、Ｉ２は、例えば、配線Ｗ２１、Ｗ２２に流れる電流の実効値である。
【００２９】
電流検出回路６は、電力変換システム１から電力系統に流れる電流と、電力系統から電力変換システム１に流れる電流とを互いに極性が異なる電流として検出する。つまり、電流検出回路６は、配線Ｗ２１、Ｗ２２に流れる電流の大きさ（実効値）と向きとを検出する。以下の説明では、電力変換システム１から電力系統へ電流が流れる場合に、第１、第２検出電流値Ｉ１、Ｉ２を正の数で表し、電力系統から電力変換システム１へ電流が流れる場合に、第１、第２検出電流値Ｉ１、Ｉ２を負の数で表す。
【００３０】
制御装置２は、制御部２１と、検知部２２と、を有している。制御装置２は、報知部２３を更に有している。制御部２１は、第１制御部２１１と、第２制御部２１２とを含む。
【００３１】
本開示における制御装置２の実行主体は、コンピュータシステムを含んでいる。コンピュータシステムは、コンピュータを有している。コンピュータシステムは、ハードウェアとしてのプロセッサ及びメモリを主構成とする。コンピュータシステムのメモリに記録されたプログラムをプロセッサが実行することによって、本開示における制御装置２の実行主体としての機能が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ（磁気ディスク）等の非一時的記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。コンピュータシステムは、複数のコンピュータを有していてもよい。
【００３２】
制御装置２において、単一の構成（例えば、単一のプロセッサ）により、第１制御部２１１及び第２制御部２１２としての機能が実現される。制御部２１（第１制御部２１１及び第２制御部２１２）は、例えば、第１コンバータ回路４、第２コンバータ回路５及びインバータ回路３の各々が有するスイッチング素子に対して制御信号を出力し、当該スイッチング素子を駆動する。これにより、制御部２１は、第１コンバータ回路４、第２コンバータ回路５及びインバータ回路３を制御する。制御部２１は、第１コンバータ回路４を動作させて第２コンバータ回路５を停止させることもできるし、第１コンバータ回路４を停止させて第２コンバータ回路５を動作させることもできる。
【００３３】
第１制御部２１１は、電流検出回路６が検出した検出電流値（第１検出電流値Ｉ１及び第２検出電流値Ｉ２）に応じて第１コンバータ回路４、第２コンバータ回路５及びインバータ回路３を制御する。
【００３４】
より詳細には、第１制御部２１１は、検出電流値に応じて、第１コンバータ回路４に充電動作と放電動作とを行わせる。第１制御部２１１は、第１、第２検出電流値Ｉ１、Ｉ２の合計が所定の電流値Ｉｃ１（図４参照）を上回った場合に、第１コンバータ回路４が充電動作と放電動作とのうち充電動作のみを行えるようにする。つまり、このとき、第１コンバータ回路４は、制御部２１の制御に応じて、充電動作を行うこともできるし、充電動作と放電動作とのいずれも行わないこともできる。所定の電流値Ｉｃ１は、例えば、２．７５Ａである。法律等の規制により、蓄電池ＳＢ１の放電時に電力変換システム１から電力系統へ流れる逆潮流電力の上限値が決まっている場合、所定の電流値Ｉｃ１は、逆潮流電力が当該上限値を超えないような値に決定される。
【００３５】
また、第１制御部２１１は、検出電流値に応じて第１コンバータ回路４、第２コンバータ回路５及びインバータ回路３を制御して、インバータ回路３から複数の負荷７１、７２又は電力系統に出力される電力を変化させる。例えば、第１制御部２１１は、第１、第２検出電流値Ｉ１、Ｉ２が小さいほど、インバータ回路３から複数の負荷７１、７２又は電力系統に出力される電力を増加させる。
【００３６】
検知部２２は、電流検出回路６が検出した検出電流値に応じて電流検出回路６の異常の有無を検知する。具体的には、検知部２２は、検出電流値（第１、第２検出電流値Ｉ１、Ｉ２のうち少なくとも一方）が所定範囲ＲＡ１（図４参照）内である状態が所定の検知時間Ｔ１（図４参照）継続すると、電流検出回路６に異常が有ることを検知する。検知部２２は、第１コンバータ回路４が充電動作を行っているときと放電動作を行っているときとに、電流検出回路６の異常の有無を検知する。電流検出回路６の異常とは、例えば、電流検出回路６の配線の断線、劣化等の異常、又は、電流検出回路６の配線への異物の付着により電流検出回路６の配線の抵抗値が増加する等の異常である。検知部２２が電流検出回路６の異常の有無をどのように検知するかについて、詳細は後述する。
【００３７】
第２制御部２１２は、検知部２２の検知結果に応じて第１コンバータ回路４、第２コンバータ回路５及びインバータ回路３を制御する。
【００３８】
より詳細には、第２制御部２１２は、検知部２２の検知結果に応じて、第１コンバータ回路４に充電動作と放電動作とを行わせる。電流検出回路６に異常が有ることを検知部２２が検知しているとき、第２制御部２１２は、第１コンバータ回路４が充電動作と放電動作とのうち充電動作のみを行えるようにする。つまり、このとき、第１コンバータ回路４は、制御部２１の制御に応じて、充電動作を行うこともできるし、充電動作と放電動作とのいずれも行わないこともできる。また、電流検出回路６に異常が有ることを検知部２２が検知している状態が所定時間Ｔ２（図３参照）継続すると、第２制御部２１２は、第１コンバータ回路４、第２コンバータ回路５及びインバータ回路３を停止させる。このとき、報知部２３は、エラーの発生を報知する。報知部２３は、例えば、ディスプレイを含み、エラーが発生していることを示す情報をディスプレイに表示する。第２制御部２１２による制御の詳細は後述する。
【００３９】
また、制御部２１は、制御装置２に対するユーザの操作及び検知部２２の検出結果に応じて、放電上限値（単位はワット）を設定する。第１コンバータ回路４は、放電上限値よりも大きい出力電力を蓄電池ＳＢ１が第１コンバータ回路４に出力しないように、制御部２１に制御される。例えば、電路Ｗ２に接続されている複数の負荷７１、７２の消費電力が所定の消費電力よりも大きい場合等に、制御部２１の制御により第１コンバータ回路４が放電動作を行うと、蓄電池ＳＢ１は放電上限値に等しい出力電力を第１コンバータ回路４に出力する。電路Ｗ２に接続されている複数の負荷７１、７２の消費電力が上記所定の消費電力よりも小さい場合等に、制御部２１の制御により第１コンバータ回路４が放電動作を行うと、蓄電池ＳＢ１は放電上限値よりも小さい出力電力を第１コンバータ回路４に出力する。
【００４０】
蓄電池ＳＢ１の充電レベルが所定レベル以下になると、第１コンバータ回路４は、制御部２１の制御により、充電動作を行う。実際には、制御装置２は、蓄電池ＳＢ１の出力電圧を示す情報を蓄電池ＳＢ１から取得し、蓄電池ＳＢ１の出力電圧が、所定レベルに対応する所定の電圧以下になると、制御部２１は第１コンバータ回路４に充電動作を行わせる。
【００４１】
所定時間Ｔ２（図３参照）は、蓄電池ＳＢ１が満充電状態から自己放電して充電レベルが所定レベル以下になるのに要する時間よりも長い。つまり、第１コンバータ回路４が充電動作を行わない状態が所定時間Ｔ２継続する前に、蓄電池ＳＢ１の充電レベルが所定レベル以下になる。
【００４２】
制御装置２は、カウンタ２４と、タイマ２５と、提示部２６と、を更に有している。
【００４３】
カウンタ２４は、電流検出回路６に異常が有ることを検知部２２が検知した回数（以下、異常検知回数と称す）をカウントする。
【００４４】
タイマ２５は、電流検出回路６に異常が有ることを検知部２２が検知すると、時間の計測を開始する。タイマ２５は、電流検出回路６に異常が有ることを検知部２２が検知している状態になってからの経過時間（以下、計測時間と称す）を計測する。タイマ２５が計測時間を計測することにより、検知部２２は、電流検出回路６に異常が有ることを検知部２２が検知している状態が所定時間Ｔ２（図３参照）継続したか否かを検知できる。
【００４５】
電流検出回路６に異常が有ることを検知部２２が検知している状態が継続しているとき、制御装置２は、所定時間Ｔ２（図３参照）からタイマ２５が計測中の計測時間を引いた値を算出し、算出した値を提示部２６に提示させる。すなわち、提示部２６は、現時点と、計測時間が所定時間Ｔ２に達する時点との間の時間の長さ（以下、残り時間と称す）を表す情報を提示する。提示部２６は、例えば、ディスプレイを含み、ディスプレイに残り時間を表示する。
【００４６】
（３）電力変換システムの動作フロー
次に、電力変換システム１の動作フローについて、図２、３を参照して説明する。
【００４７】
電力変換システム１の電源スイッチがＯＮされると（ステップＳ１）、制御装置２は、放電上限値、カウンタ２４及びタイマ２５をリセットする（ステップＳ２）。すなわち、制御装置２は、放電上限値を３０００Ｗにし、カウンタ２４がカウントする異常検知回数を０にし、タイマ２５が計測する計測時間を０にする。
【００４８】
次に、検知部２２は、第１電流センサＣＴ１が検出した第１検出電流値Ｉ１と、第２電流センサＣＴ２が検出した第２検出電流値Ｉ２とに応じて、電流検出回路６の異常の有無を検知する（ステップＳ３）。より詳細には、検知部２２は、第１検出電流値Ｉ１と第２検出電流値Ｉ２とのうち少なくとも一方が所定範囲ＲＡ１（図４参照）内の状態が所定の検知時間Ｔ１（例えば、２秒）継続すると、電流検出回路６に異常が有ることを検知する。検知部２２は、第１検出電流値Ｉ１と第２検出電流値Ｉ２とのうち少なくとも一方が所定範囲ＲＡ１内の状態が所定の検知時間Ｔ１継続しないとき、電流検出回路６に異常が無いことを検知する。所定範囲ＲＡ１とは、例えば、−０．１５Ａ以上、＋０．１５Ａ以下の範囲である。つまり、検知部２２は、第１検出電流値Ｉ１と、第２検出電流値Ｉ２とのうち少なくとも一方の絶対値が、所定値（０．１５Ａ）以下の状態が所定の検知時間Ｔ１継続すると、電流検出回路６に異常が有ることを検知する。
【００４９】
所定範囲ＲＡ１の中心は０と一致する。これは、電流検出回路６に断線等の異常があると、第１、第２検出電流値Ｉ１、Ｉ２が０に近い値になることがあるので、このような場合に、電流検出回路６に異常が有ることを検知部２２が検知できるようにするためである。
【００５０】
ステップＳ３において、電流検出回路６に異常が無いことを検知部２２が検知すると（ステップＳ３：Ｎｏ）、検知部２２は、後述のステップＳ１２を経て、ステップＳ３に戻り、電流検出回路６の異常の有無の検知を繰り返す。
【００５１】
ステップＳ３において、電流検出回路６に異常が有ることを検知部２２が検知すると（ステップＳ３：Ｙｅｓ）、ステップＳ４において制御部２１は、放電上限値を徐々に減少させる。すると、制御部２１の制御により、第１コンバータ回路４は、蓄電池ＳＢ１から第１コンバータ回路４に出力される直流電力（以下、蓄電池ＳＢ１の出力電力ＢＯ１と称す：図４参照）を徐々に減少させる。より詳細には、放電上限値及び蓄電池ＳＢ１の出力電力ＢＯ１は、時間に比例して減少し、最終的に０Ｗになる。放電上限値が０Ｗになることにより、第１コンバータ回路４は、充電動作と放電動作とのうち充電動作のみを行えるようになる。
【００５２】
また、ステップＳ４において制御装置２は、異常検知回数に１を加える。さらに、ステップＳ４においてタイマ２５は、計測時間の計測を開始する。
【００５３】
次に、検知部２２は、電流検出回路６に異常が有る状態が継続しているか否かを検知する（ステップＳ５）。すなわち、検知部２２は、第１検出電流値Ｉ１と第２検出電流値Ｉ２とのうち少なくとも一方が所定範囲ＲＡ１内であれば、電流検出回路６に異常が有る状態が継続していることを検知する。第１検出電流値Ｉ１と第２検出電流値Ｉ２とが所定範囲ＲＡ１から外れるか（ステップＳ５：Ｎｏ）、電流検出回路６に異常が有ることを検知部２２が検知している状態が所定時間Ｔ２（例えば、２０日間）継続するまで（ステップＳ６の結果が「Ｎｏ」になるまで）、検知部２２は、電流検出回路６に異常が有る状態が継続しているか否かを検知し続ける。つまり、電力変換システム１では、ステップＳ５、Ｓ６が繰り返される。さらに、ステップＳ５、Ｓ６において提示部２６は、残り時間を表す情報を提示する。つまり、提示部２６は、電流検出回路６に異常が有ることを検知部２２が検知している状態が所定時間Ｔ２継続して、残り時間が０になるまで、残り時間を表す情報を提示する。
【００５４】
電流検出回路６に異常が有ることを検知部２２が検知している状態が所定時間Ｔ２継続すると（ステップＳ６：Ｎｏ）、第２制御部２１２は、第１コンバータ回路４、第２コンバータ回路５及びインバータ回路３を停止させ、報知部２３は、エラーの発生を報知する（ステップＳ７）。
【００５５】
第１コンバータ回路４、第２コンバータ回路５及びインバータ回路３が停止した後、第１検出電流値Ｉ１と第２検出電流値Ｉ２とが共に規定の範囲ＲＡ２（図４参照）から外れた状態が、規定の検知時間Ｔ３（例えば、５秒）継続すると（ステップＳ８：Ｙｅｓ）、検知部２２は、電流検出回路６に異常が無いことを検知する。規定の範囲ＲＡ２とは、例えば、−０．３Ａ以上＋０．３Ａ以下の範囲である。つまり、検知部２２は、第１検出電流値Ｉ１の絶対値と第２検出電流値Ｉ２の絶対値とが、規定の値（０．３Ａ）よりも大きい状態が規定の検知時間Ｔ３継続すると、電流検出回路６に異常が無いことを検知する。
【００５６】
規定の範囲ＲＡ２の中心は０と一致する。規定の範囲ＲＡ２の上限値ＵＰ２は、所定範囲ＲＡ１の上限値ＵＰ１よりも大きく、規定の範囲ＲＡ２の下限値ＬＯ２は、所定範囲ＲＡ１の下限値ＬＯ１よりも小さい（図４参照）。
【００５７】
電流検出回路６に異常が無いことを検知部２２が検知すると（ステップＳ８：Ｙｅｓ）、ステップＳ２において、制御装置２は、放電上限値を３０００Ｗにし、異常検知回数を０にし、計測時間を０にする。放電上限値が０Ｗよりも大きい値になることにより、第１コンバータ回路４は、制御部２１の制御により、放電動作を行えるようになる。
【００５８】
電流検出回路６に異常が有ることを検知部２２が検知している状態になってからの経過時間が所定時間Ｔ２に達する前に、第１検出電流値Ｉ１と第２検出電流値Ｉ２とが所定範囲ＲＡ１から外れると（ステップＳ５：Ｎｏ）、制御装置２は、異常検知回数を所定回数（４回）と比較する（ステップＳ９）。異常検知回数が所定回数（４回）未満の場合は（ステップＳ９：Ｙｅｓ）、検知部２２は、電流検出回路６に異常が無いことを検知する。さらに、制御装置２は、放電上限値を徐々に増加させて３０００Ｗにし、異常検知回数を０にし、計測時間を０にし、タイマ２５は、計測時間の計測を停止する（ステップＳ１０）。放電上限値が０Ｗよりも大きい値になることにより、第１コンバータ回路４は、制御部２１の制御により、放電動作を行えるようになる。その後、ステップＳ３に戻り、検知部２２は、第１、第２検出電流値Ｉ１、Ｉ２に応じて、電流検出回路６の異常の有無を検知する。
【００５９】
ステップＳ９において、異常検知回数が所定回数（４回）以上の場合は（ステップＳ９：Ｎｏ）、検知部２２は、ステップＳ８と同じ条件で、第１検出電流値Ｉ１及び第２検出電流値Ｉ２が規定の範囲ＲＡ２内か否かを検知する（ステップＳ１１）。第１検出電流値Ｉ１と第２検出電流値Ｉ２とが共に、規定の範囲ＲＡ２から外れた状態が規定の検知時間Ｔ３継続すると（ステップＳ１１：Ｙｅｓ）、ステップＳ２において、制御装置２は、放電上限値を０Ｗから徐々に増加させて３０００Ｗにし、異常検知回数を０にし、計測時間を０にし、タイマ２５は、計測時間の計測を停止する。
【００６０】
すなわち、電流検出回路６に異常が有ることを検知部２２が検知している状態が、所定時間Ｔ２継続する前に（言い換えると、ステップＳ６の結果が「Ｎｏ」となる前に）、第１検出電流値Ｉ１と第２検出電流値Ｉ２とが共に、規定の範囲ＲＡ２から外れた状態が規定の検知時間Ｔ３継続すると、検知部２２は、電流検出回路６に異常が無いことを検知する。
【００６１】
ステップＳ１１において、第１検出電流値Ｉ１と第２検出電流値Ｉ２とが共に、規定の範囲ＲＡ２から外れた状態が規定の検知時間Ｔ３継続しなかった場合（ステップＳ１１：Ｎｏ）、ステップＳ５に戻り、検知部２２は、電流検出回路６の異常の有無を検知し続ける。この場合、放電上限値は０Ｗのままなので、第１コンバータ回路４が充電動作と放電動作とのうち充電動作のみを行える状態が制御部２１により維持される。また、この場合、タイマ２５は、計測時間の計測を、ステップＳ５において電流検出回路６に異常が無いことを検知部２２が検知する（ステップＳ５：Ｎｏ）前から継続している。
【００６２】
ところで、ステップＳ３において、第１、第２検出電流値Ｉ１、Ｉ２に応じて、電流検出回路６に異常が無いことを検知部２２が検知すると（ステップＳ３：Ｎｏ）、検知部２２は、第１検出電流値Ｉ１及び第２検出電流値Ｉ２が規定の範囲ＲＡ２内か否かを検知する（ステップＳ１２）。第１検出電流値Ｉ１と第２検出電流値Ｉ２とが共に、規定の範囲ＲＡ２から外れた状態が規定の検知時間Ｔ３継続した場合（ステップＳ１２：Ｙｅｓ）、制御装置２は、異常検知回数を０にする（ステップＳ１３）。
【００６３】
ユーザの操作等により、電力変換システム１が再起動すると、制御装置２は、ステップＳ１から動作を再開する。
【００６４】
（４）蓄電池の出力電力の時間的変化
以下では、第１検出電流値Ｉ１及び第２検出電流値Ｉ２が時間的に変化するときの、蓄電池ＳＢ１の出力電力ＢＯ１の時間的な変化の例について、図４、５のグラフを参照して説明する。図４、５において、横軸は時間を表し、縦軸は、第１、第２検出電流値Ｉ１、Ｉ２及び、蓄電池ＳＢ１の出力電力ＢＯ１を示す。説明を簡単にするため、第１、第２検出電流値Ｉ１、Ｉ２は互いに等しいとする。また、図４、５では、各時点において、第１、第２検出電流値Ｉ１、Ｉ２の合計は、所定の電流値Ｉｃ１以下である。また、図４、５では、各時点において、第１コンバータ回路４は充電動作を行わないとする。
【００６５】
（４．１）第１例
まず、図４を参照して、蓄電池ＳＢ１の出力電力ＢＯ１の時間的な変化の一例を説明する。
【００６６】
時点ｔ０では、ステップＳ３（図２参照）において検知部２２は電流検出回路６の異常の有無を検知している。時点ｔ０では、第１、第２検出電流値Ｉ１、Ｉ２は規定の範囲ＲＡ２の上限値ＵＰ２よりも大きい値である。すなわち、第１、第２検出電流値Ｉ１、Ｉ２は規定の範囲ＲＡ２から外れている。
【００６７】
時点ｔ１において、第１、第２検出電流値Ｉ１、Ｉ２が減少して、第１、第２検出電流値Ｉ１、Ｉ２が所定範囲ＲＡ１内の値になる。第１、第２検出電流値Ｉ１、Ｉ２が所定範囲ＲＡ１内の状態が所定の検知時間Ｔ１継続すると（時点ｔ２）、検知部２２は、電流検出回路６に異常が有ることを検知する。したがって、ステップＳ４（図２参照）において、制御装置２は、放電制限値を徐々に減少させて０Ｗにし、異常検知回数に１を加え、タイマ２５は計測時間の計測を開始する。時点ｔ２から時点ｔ３までの間、放電制限値が徐々に減少することで、蓄電池ＳＢ１の出力電力ＢＯ１が徐々に減少する。時点ｔ３において、放電上限値が０Ｗになり、蓄電池ＳＢ１の出力電力ＢＯ１が０Ｗになる。これにより、第１コンバータ回路４は放電動作を行うことができなくなる。
【００６８】
第１例では、電流検出回路６の異常が原因で、時点ｔ１において、第１、第２検出電流値Ｉ１、Ｉ２が減少している。電流検出回路６の異常により、時点ｔ１以降、電流検出回路６は電路Ｗ２に流れる電流を正常に検出することができない。したがって、蓄電池ＳＢ１の出力電力ＢＯ１が時点ｔ２から時点ｔ３までの間に減少しても、第１、第２検出電流値Ｉ１、Ｉ２は所定範囲ＲＡ１内のままである。つまり、時点ｔ１以降、電流検出回路６に異常が有ることを検知部２２が検知している状態が維持される。その結果、時点ｔ３以降、第１コンバータ回路４は放電動作を行うことができず、蓄電池ＳＢ１の出力電力ＢＯ１は０Ｗのままとなる。
【００６９】
（４．２）第２例
次に、図５を参照して、蓄電池ＳＢ１の出力電力ＢＯ１の時間的な変化の別の一例を説明する。時点ｔ０から時点ｔ２までの第１、第２検出電流値Ｉ１、Ｉ２及び蓄電池ＳＢ１の出力電力ＢＯ１の時間的な変化は、図４に示した第１例と同じである。
【００７０】
時点ｔ２以降、制御部２１が放電上限値を徐々に減少させることで、蓄電池ＳＢ１の出力電力ＢＯ１が徐々に減少する。第２例では、電流検出回路６の異常ではなく、例えば、電路Ｗ２に接続されている複数の負荷７１、７２の消費電力の増加、又は、分散型電源ＰＶ１の出力の低下が原因で、時点ｔ１において、第１、第２検出電流値Ｉ１、Ｉ２が減少している。時点ｔ１以降も、電流検出回路６は電路Ｗ２に流れる電流を正常に検出することができる。したがって、蓄電池ＳＢ１の出力電力ＢＯ１が時点ｔ２以降に徐々に減少すると、第１、第２検出電流値Ｉ１、Ｉ２も徐々に減少する。
【００７１】
時点ｔ４において、第１、第２検出電流値Ｉ１、Ｉ２は、所定範囲ＲＡ１の下限値ＬＯ１よりも小さい値になる。つまり、時点ｔ４において、第１、第２検出電流値Ｉ１、Ｉ２は、所定範囲ＲＡ１から外れる（ステップＳ５：Ｎｏ）。したがって、例えば、ステップＳ１０（図３参照）において、制御部２１は、放電上限値を徐々に増加させる。すると、制御部２１は第１コンバータ回路４に放電動作を開始させ、蓄電池ＳＢ１の出力電力ＢＯ１が徐々に増加する。これにより、第１、第２検出電流値Ｉ１、Ｉ２も徐々に増加する。
【００７２】
時点ｔ５において、第１、第２検出電流値Ｉ１、Ｉ２は所定範囲ＲＡ１の上限値ＵＰ１を上回る。すなわち、第１、第２検出電流値Ｉ１、Ｉ２が所定範囲ＲＡ１から外れる。時点ｔ４から時点ｔ５までの時間間隔Ｔ４は、所定の検知時間Ｔ１よりも短い。したがって、時点ｔ４から時点ｔ５までの間に第１、第２検出電流値Ｉ１、Ｉ２が所定範囲ＲＡ１内となるにも関わらず、検知部２２は、電流検出回路６に異常が有ることを検知しない。
【００７３】
時点ｔ６以後、蓄電池ＳＢ１の出力電力ＢＯ１が、例えば略一定に推移する。なお、その後、電流検出回路６に異常が有ることを検知部２２が検知すると、制御部２１が放電上限値を徐々に減少させるので、蓄電池ＳＢ１の出力電力ＢＯ１が徐々に減少する。
【００７４】
ところで、時点ｔ４から時点ｔ６までの間、制御部２１は、放電上限値を徐々に増加させ、第１コンバータ回路４に放電動作を開始させ、蓄電池ＳＢ１の出力電力ＢＯ１は徐々に増加する。このとき、放電上限値の増加速度は、蓄電池ＳＢ１から第１コンバータ回路４に出力される直流電流が、所定の検知時間Ｔ１の間に、所定範囲ＲＡ１の上限値ＵＰ１と下限値ＬＯ１との差（０．３Ａ）よりも大きい値だけ増加するような増加速度である。したがって、制御部２１は、蓄電池ＳＢ１から第１コンバータ回路４に出力される直流電流を、所定範囲ＲＡ１の上限値ＵＰ１と下限値ＬＯ１との差よりも大きい値だけ、所定の検知時間Ｔ１の間に増加させる。
【００７５】
より詳細には、時点ｔ４から時点ｔ６までの間、蓄電池ＳＢ１から第１コンバータ回路４に出力される直流電流は、時間に比例して増加する。したがって、蓄電池ＳＢ１から第１コンバータ回路４に出力される直流電流の、１秒（単位時間）あたりの増加量は、所定範囲ＲＡ１の上限値ＵＰ１と下限値ＬＯ１との差（０．３Ａ）を、所定の検知時間Ｔ１（２秒）で除した値である、０．１５Ａ／秒よりも大きい。
【００７６】
また、制御部２１が放電上限値を徐々に減少させるときの放電上限値の減少速度の絶対値は、制御部２１が放電上限値を徐々に増加させるときの放電上限値の増加速度の絶対値と等しい。したがって、図５のグラフにおいて、時点ｔ２と時点ｔ４との間の、蓄電池ＳＢ１の出力電力ＢＯ１の単位時間当たりの変化量の絶対値は、時点ｔ４と時点ｔ６との間の、蓄電池ＳＢ１の出力電力ＢＯ１の単位時間当たりの変化量の絶対値と等しい。
【００７７】
（変形例１）
次に、実施形態の変形例１に係る電力変換システム１について、図１を参照して説明する。本変形例では、検知部２２は、電流検出回路６の異常の有無を、実施形態とは異なる態様により検知する。
【００７８】
制御装置２は、複数の負荷７１、７２が動作しているか否かを検知する。電力変換システム１は、例えば、負荷７１に流れる電流を検出する第１負荷電流センサと、負荷７２に流れる電流を検出する第２負荷電流センサと、を更に備えている。第１、第２負荷電流センサはそれぞれ、例えば、カレントトランスである。第１、第２負荷電流センサの検出電流値は、例えば、負荷７１、７２に流れる電流の実効値である。制御装置２は、第１、第２負荷電流センサの検出電流値に基づいて、複数の負荷７１、７２が動作しているか否かを検知する。
【００７９】
また、制御装置２は、第１負荷電流センサの検出電流値に基づいて、負荷７１が動作しているときに負荷７１に供給される電流と、負荷７１が動作していないときに負荷７１に供給される電流との差（以下、負荷７１の差分電流と称す）を示す情報を取得する。制御装置２は、第２負荷電流センサの検出電流値に基づいて、負荷７２が動作しているときに負荷７２に供給される電流と、負荷７２が動作していないときに負荷７２に供給される電流との差（以下、負荷７２の差分電流と称す）を示す情報を取得する。
【００８０】
検知部２２は、負荷７１が動作を開始又は停止したときに、第１電流センサＣＴ１の第１検出電流値Ｉ１の変化量を検知する。検知部２２は、負荷７２が動作を開始又は停止したときに、第２電流センサＣＴ２の第２検出電流値Ｉ２の変化量を検知する。検知部２２は、負荷７１の差分電流と第１検出電流値Ｉ１の変化量との差、及び、負荷７２の差分電流と第２検出電流値Ｉ２の変化量との差が、予め決められた範囲内であれば、電流検出回路６に異常が無いことを検知する。また、検知部２２は、負荷７１の差分電流と第１検出電流値Ｉ１の変化量との差、及び、負荷７２の差分電流と第２検出電流値Ｉ２の変化量との差のうち少なくとも一方が、上記の予め決められた範囲外であれば、電流検出回路６に異常が有ることを検知する。
【００８１】
上記の予め決められた範囲とは、当該範囲内の値を実質的に０Ａと見做せる値の範囲である。例えば、予め決められた範囲とは、負荷７１、７２が動作しているときの第１、第２負荷電流センサの検出電流値の±１％の範囲であることが好ましく、±０．５％の範囲であることがより好ましく、±０．１％の範囲であることが更に好ましい。
【００８２】
つまり、検知部２２は、第１検出電流値Ｉ１が負荷７１に流れる電流の変化に追随して変化するか否か、及び、第２検出電流値Ｉ２が負荷７２に流れる電流の変化に追随して変化するか否かに応じて、電流検出回路６の異常の有無を検知する。
【００８３】
変形例１では、実施形態の電力変換システム１と同様に、電流検出回路６に異常が有ることを検知部２２が検知している状態が所定時間Ｔ２継続すると、第２制御部２１２は、第１コンバータ回路４、第２コンバータ回路５及びインバータ回路３を停止させる。
【００８４】
変形例１において、制御装置２は、負荷７１が動作しているときに負荷７１に供給される電流と、負荷７１が動作していないときに負荷７１に供給される電流との差（すなわち、負荷７１の差分電流）を、予め記憶していてもよい。また、制御装置２は、負荷７２が動作しているときに負荷７２に供給される電流と、負荷７２が動作していないときに負荷７２に供給される電流との差（すなわち、負荷７２の差分電流）を、予め記憶していてもよい。検知部２２は、制御装置２が記憶している負荷７１の差分電流及び負荷７２の差分電流を用いて、電流検出回路６の異常の有無を検知してもよい。
【００８５】
また、変形例１において、複数の負荷７１、７２と電路Ｗ２との間に複数のリレーが設けられていてもよい。複数のリレーは、例えば、制御装置２の制御により開閉されてもよい。検知部２２は、複数のリレーが開閉するときの第１検出電流値Ｉ１の変化量と負荷７１の差分電流との差、及び、複数のリレーが開閉するときの第２検出電流値Ｉ２の変化量と負荷７２の差分電流との差が、予め決められた範囲内であれば、電流検出回路６に異常が無いことを検知してもよい。
【００８６】
また、変形例１において、第１、第２負荷電流センサは、カレントトランスに限定されない。例えば、第１、第２負荷電流センサとしてそれぞれ、ホール素子型電流センサを用いてもよい。
【００８７】
（変形例２）
次に、実施形態の変形例２に係る電力変換システム１について、図１を参照して説明する。本変形例では、検知部２２は、電流検出回路６の異常の有無を、実施形態とは異なる態様により検知する。
【００８８】
電流検出回路６は、第１電流センサＣＴ１を含む回路により、Ｌ１相の配線Ｗ２１に流れる電流の実効値である第１検出電流値Ｉ１と、Ｌ１相の配線Ｗ２１に流れる電流の半サイクルの平均値（以下、第１平均値と称す）とを検出する。電流検出回路６は、第２電流センサＣＴ２を含む回路により、Ｌ２相の配線Ｗ２２に流れる電流の実効値である第２検出電流値Ｉ２と、Ｌ２相の配線Ｗ２２に流れる電流の半サイクルの平均値（以下、第２平均値と称す）とを検出する。
【００８９】
第１検出電流値Ｉ１と第１平均値との差、及び、第２検出電流値Ｉ２と第２平均値との差が、予め決められた範囲内になると、検知部２２は、電流検出回路６に異常が有ることを検知する。また、検知部２２は、第１検出電流値Ｉ１と第１平均値との差、及び、第２検出電流値Ｉ２と第２平均値との差のうち少なくとも一方が、上記の予め決められた範囲から外れると、検知部２２は、電流検出回路６に異常が無いことを検知する。上記の予め決められた範囲は、当該範囲内の値を実質的に０と見做せる範囲である。例えば、上記の予め決められた範囲は、±１０ｍＡの範囲であることが好ましく、±５ｍＡの範囲であることがより好ましく、±１ｍＡの範囲であることが更に好ましい。
【００９０】
電流検出回路６に断線等の異常が有って、Ｌ１相の配線Ｗ２１に流れる電流の振幅が０に近い値になると、第１検出電流値Ｉ１と第１平均値との差が実質的に０と見做せる値になる。また、電流検出回路６に断線等の異常が有って、Ｌ２相の配線Ｗ２２に流れる電流の振幅が０に近い値になると、第２検出電流値Ｉ２と第２平均値との差が実質的に０と見做せる値になる。したがって、検知部２２は、電流検出回路６に異常が有ることを検知することができる。
【００９１】
（変形例３）
次に、実施形態の変形例３に係る電力変換システム１Ａについて、図６を参照して説明する。実施形態の電力変換システム１と同様の構成については、同一の符号を付して説明を省略する。
【００９２】
電力変換システム１Ａは、第３電流センサＣＴ３を更に備えている点で、実施形態の電力変換システム１と異なる。第３電流センサＣＴ３は、例えば、カレントトランスである。第３電流センサＣＴ３には、分散型電源ＰＶ１と第２コンバータ回路５との間の配線Ｗ４が通されている。第３電流センサＣＴ３は、配線Ｗ４に流れる電流を検出する。
【００９３】
電力変換システム１Ａは、第３電流センサＣＴ３と制御装置２とを互いに接続する配線Ｗ５を更に備えている。第３電流センサＣＴ３は、検出した第３検出電流値を、制御装置２の検知部２２に出力する。第３検出電流値は、例えば、配線Ｗ４に流れる電流の実効値である。
【００９４】
第１検出電流値Ｉ１及び第２検出電流値Ｉ２の和と、第３検出電流値との差が、ある範囲内になると、検知部２２は、電流検出回路６に異常が有ることを検知する。また、検知部２２は、第１検出電流値Ｉ１及び第２検出電流値Ｉ２の和と、第３検出電流値との差が、上記のある範囲から外れると、検知部２２は、電流検出回路６に異常が無いことを検知する。上記のある範囲は、例えば、蓄電池ＳＢ１から第１コンバータ回路４への出力電流、第１コンバータ回路４から蓄電池ＳＢ１への入力電流、負荷７１、７２の動作状況並びに、第２コンバータ回路５及びインバータ回路３での電力損失等に応じて、制御装置２により決められる。
【００９５】
変形例３において、第３電流センサＣＴ３は、カレントトランスに限定されない。例えば、第３電流センサＣＴ３として、ホール素子型電流センサを用いてもよい。
【００９６】
また、変形例３において、第１検出電流値Ｉ１及び第２検出電流値Ｉ２の和が、第３検出電流値の時間的な変化に追随している場合に、検知部２２は、電流検出回路６に異常が無いと検知してもよい。第１検出電流値Ｉ１及び第２検出電流値Ｉ２の和が、第３検出電流値の時間的な変化に追随していない場合に、検知部２２は、電流検出回路６に異常が有ると検知してもよい。
【００９７】
（実施形態のその他の変形例）
以下に、実施形態のその他の変形例を列挙する。以下の変形例は、適宜組み合わせて実現されてもよい。また、以下の変形例は、変形例１〜３と適宜組み合わせて実現されてもよい。
【００９８】
実施形態において、電流検出回路６に異常が有ることを検知部２２が検知しているとき、第１コンバータ回路４は、充電動作と放電動作とのうち充電動作のみを行える。その後、電流検出回路６に異常が無いことを検知部２２が検知したとき、制御部２１は、異常検知回数に関わらず、第１コンバータ回路４が充電動作と放電動作とのうち充電動作のみを行える状態を維持してもよい。例えば、ステップＳ５（図３参照）において、第１検出電流値Ｉ１と第２検出電流値Ｉ２とが所定範囲ＲＡ１から外れた場合（ステップＳ５：Ｎｏ）、制御装置２は、放電上限値が０Ｗの状態を維持し、計測時間を０にし、タイマ２５は、計測時間の計測を停止してもよい。これにより、第１コンバータ回路４が放電動作を行えない状態が維持される。この場合は、ユーザの操作等により電力変換システム１が再起動すると、ステップＳ２において制御装置２は放電上限値を３０００Ｗに設定し、第１コンバータ回路４が放電動作を行えるようになる。
【００９９】
あるいは、電流検出回路６に異常が無いことを検知部２２が検知したとき、制御部２１は、異常検知回数に関わらず、第１コンバータ回路４が放電動作を行えるようにしてもよい。例えば、ステップＳ５において、第１検出電流値Ｉ１と第２検出電流値Ｉ２とが所定範囲ＲＡ１から外れた場合（ステップＳ５：Ｎｏ）、異常検知回数を所定回数（４回）と比較するためのステップＳ９を経ずに、ステップＳ１０において、制御装置２は放電上限値を３０００Ｗに設定し、第１コンバータ回路４が放電動作を行えるようになってもよい。
【０１００】
また、計測時間が所定時間Ｔ２に達して、ステップＳ７において第１コンバータ回路４、第２コンバータ回路５及びインバータ回路３が停止した後、第１コンバータ回路４、第２コンバータ回路５及びインバータ回路３は、電力変換システム１が再起動するまで動作を停止してもよい。つまり、検知部２２は、ステップＳ８において、電流検出回路６の異常の有無を検知しなくてもよい。
【０１０１】
また、電力変換システム１における個々の構成要素が１つの筐体内に集約されていてもよいし、個々の構成要素が複数の筐体に分散して設けられていてもよい。例えば、制御装置２とインバータ回路３とが第１筐体内に集約され、第１コンバータ回路４が第２筐体に収容され、第２コンバータ回路５が第３筐体に収容されていてもよい。あるいは、制御装置２とインバータ回路３と第２コンバータ回路５とが第１筐体内に集約され、第１コンバータ回路４が第２筐体に収容されていてもよい。あるいは、制御装置２とインバータ回路３と第１コンバータ回路４と第２コンバータ回路５とが１つの筐体内に集約されていてもよい。
【０１０２】
また、分散型電源ＰＶ１は、太陽電池に限定されず、例えば、風力、水力又はバイオマスのエネルギーを用いる発電装置を用いてもよい。また、分散型電源ＰＶ１として、液体燃料又は気体燃料を燃焼させる内燃機関を備えた発電装置を用いてもよい。また、分散型電源ＰＶ１として、燃料電池を用いてもよい。
【０１０３】
また、第１電流センサＣＴ１及び第２電流センサＣＴ２は、カレントトランスに限定されない。例えば、第１電流センサＣＴ１及び第２電流センサＣＴ２としてそれぞれ、ホール素子型電流センサを用いてもよい。
【０１０４】
また、インバータ回路３は、双方向ＤＣ／ＡＣインバータ回路に限定されない。インバータ回路３は、中間バスＷ１からの直流電力を交流電力に変換する動作のみを行うインバータ回路であってもよい。
【０１０５】
また、制御装置２において、単一の構成（例えば、単一のプロセッサ）により、第１制御部２１１及び第２制御部２１２としての機能が実現されることは、必須ではない。すなわち、第１制御部２１１としての機能を実現する構成と、第２制御部２１２としての機能を実現する構成とが、個別に設けられていてもよい。また、第１コンバータ回路４、第２コンバータ回路５及びインバータ回路３の制御を、第１制御部２１１と第２制御部２１２とが個別に行ってもよい。
【０１０６】
また、提示部２６は、ディスプレイに残り時間を表示する構成に限定されない。例えば、提示部２６は、スピーカを含み、スピーカから出力される音声により残り時間をユーザに知らせてもよい。あるいは、提示部２６は、制御装置２の外部のディスプレイ又はスピーカ等の構成であってもよい。このとき、提示部２６は、残り時間を表す情報（例えば、文字データ又は音声データ）を、有線通信又は無線通信により制御装置２から受け取り、残り時間を文字として表示又は音声として出力してもよい。
【０１０７】
また、第２コンバータ回路５は、電力変換システム１に必須の構成ではなく、適宜省略されてもよいし、電力変換システム１の外部の構成として設けられてもよい。
【０１０８】
また、電力変換システム１は、少なくとも制御装置２とインバータ回路３とを備えていればよい。例えば、第１コンバータ回路４、中間バスＷ１及び電流検出回路６は、電力変換システム１の外部の構成として設けられてもよい。
【０１０９】
また、複数の負荷７１、７２は、電力変換システム１の外部の構成として設けられてもよいし、電力変換システム１の構成として設けられてもよい。
【０１１０】
また、負荷７１は、互いに直列、並列又は直並列に接続された複数の負荷を含む回路であってもよい。同様に、負荷７２は、互いに直列、並列又は直並列に接続された複数の負荷を含む回路であってもよい。
【０１１１】
また、実施形態の電流検出回路６は、制御装置２の内部の回路のうち、配線Ｗ３１及び配線Ｗ３２につながっている回路を含む。電流検出回路６は、制御装置２の内部の回路のうち、配線Ｗ３１又は配線Ｗ３２につながっている回路を含んでいてもよい。
【０１１２】
また、検知部２２は、第１コンバータ回路４が放電動作を行っているときのみ電流検出回路６の異常の有無を検知してもよい。
【０１１３】
また、電流検出回路６に異常が有ることを検知部２２が検知している状態が所定時間Ｔ２継続したとき、第２制御部２１２は、第１コンバータ回路４のみを停止させてもよい。
【０１１４】
また、実施形態の規定の範囲ＲＡ２の上限値ＵＰ２は、所定範囲ＲＡ１の上限値ＵＰ１よりも大きく、規定の範囲ＲＡ２の下限値ＬＯ２は、所定範囲ＲＡ１の下限値ＬＯ１よりも小さい。規定の範囲ＲＡ２と所定範囲ＲＡ１との関係は、これに限定されず、規定の範囲ＲＡ２が所定範囲ＲＡ１を包含していればよい。例えば、規定の範囲ＲＡ２の上限値ＵＰ２が所定範囲ＲＡ１の上限値ＵＰ１と等しく、かつ、規定の範囲ＲＡ２の下限値ＬＯ２が所定範囲ＲＡ１の下限値ＬＯ１よりも小さくてもよい。あるいは、規定の範囲ＲＡ２の上限値ＵＰ２が所定範囲ＲＡ１の上限値ＵＰ１よりも大きく、かつ、規定の範囲ＲＡ２の下限値ＬＯ２が所定範囲ＲＡ１の下限値ＬＯ１と等しくてもよい。
【０１１５】
また、所定範囲ＲＡ１の中心及び規定の範囲ＲＡ２の中心は、０と一致しなくてもよい。
【０１１６】
また、ステップＳ２、Ｓ１０において制御部２１は、放電上限値を３０００Ｗに設定するが、３０００Ｗは一例であって、０Ｗよりも大きい適宜の値であってよい。また、ステップＳ２、Ｓ１０において放電上限値として設定される適宜の値は、制御装置２に対するユーザの操作により設定されてもよい。
【０１１７】
また、第１コンバータ回路４は、蓄電池ＳＢ１から第１コンバータ回路４に出力される直流電力（蓄電池ＳＢ１の出力電力ＢＯ１）を徐々に減少させる。ここで、「徐々に」とは、蓄電池ＳＢ１の出力電力ＢＯ１を段階的に減少させることも、時間に比例して減少させることも含む。また、蓄電池ＳＢ１の出力電力ＢＯ１の減少速度は、例えば、出力電力ＢＯ１が最大値から０Ｗに減少するのに要する時間が５秒以上であることが好ましく、当該時間が１０秒以上であることがより好ましく、当該時間が２０秒以上であることが更に好ましい。
【０１１８】
また、検知部２２は、第１電流センサＣＴ１を含む回路の異常の有無を検知することと、第２電流センサＣＴ２を含む回路との異常の有無を検知することとを個別に行ってもよい。例えば、第１検出電流値Ｉ１が所定範囲ＲＡ１内である状態が所定の検知時間Ｔ１継続したときに、検知部２２は、第１電流センサＣＴ１を含む回路に異常が有ることを検知してもよい。また、第２検出電流値Ｉ２が所定範囲ＲＡ１内である状態が所定の検知時間Ｔ１継続したときに、検知部２２は、第２電流センサＣＴ２を含む回路に異常が有ることを検知してもよい。また、電流検出回路６は、第１、第２電流センサＣＴ１、ＣＴ２のうち一方のみを含んでいてもよい。
【０１１９】
また、電力変換システム１の配電方式は、単相３線式に限定されず、単相２線式又は三相３線式等の、別の配電方式であってもよい。電力変換システム１の配電方式が単相２線式の場合は、第１、第２電流センサＣＴ１、ＣＴ２のうち、１つのみを設ければよい。電力変換システム１の配電方式が三相３線式の場合は、３つの相の３つの配線に１つずつ電流センサを設けてもよい。電流センサの個数は、特に限定されない。
【０１２０】
（まとめ）
以上説明したように、第１の態様に係る制御装置２は、電力変換システム１（又は１Ａ）に備えられる。電力変換システム１（又は１Ａ）は、中間バスＷ１と、コンバータ回路（第１コンバータ回路４）と、インバータ回路３と、電流検出回路６と、を備える。中間バスＷ１は、分散型電源ＰＶ１に接続され、分散型電源ＰＶ１から直流電力が供給される。コンバータ回路は、蓄電池ＳＢ１及び中間バスＷ１に接続される。コンバータ回路は、充電動作と、放電動作と、を行う。コンバータ回路は、充電動作において、中間バスＷ１からの直流電力を蓄電池ＳＢ１に出力する。コンバータ回路は、放電動作において、蓄電池ＳＢ１からの直流電力を中間バスＷ１に出力する。インバータ回路３は、負荷７１（又は７２）及び電力系統に接続される。インバータ回路３は、中間バスＷ１を介してコンバータ回路及び分散型電源ＰＶ１に接続される。インバータ回路３は、中間バスＷ１からの直流電力を交流電力に変換して負荷７１（若しくは７２）又は電力系統に出力する。電流検出回路６は、電力変換システム１（又は１Ａ）と電力系統との間に流れる電流を検出する。制御装置２は、第１制御部２１１と、検知部２２と、第２制御部２１２と、を有する。第１制御部２１１は、電流検出回路６が検出した検出電流値に応じてコンバータ回路及びインバータ回路３を制御する。検知部２２は、検出電流値に応じて電流検出回路６の異常の有無を検知する。第２制御部２１２は、検知部２２の検知結果に応じてコンバータ回路を制御する。電流検出回路６に異常が有ることを検知部２２が検知しているとき、第２制御部２１２は、コンバータ回路が充電動作と放電動作とのうち充電動作のみを行えるようにする。電流検出回路６に異常が有ることを検知部２２が検知している状態が所定時間Ｔ２継続すると、第２制御部２１２は、コンバータ回路を停止させる。
【０１２１】
上記の構成によれば、電流検出回路６は、電力変換システム１（又は１Ａ）と電力系統との間に流れる電流を検出する。電流検出回路６に異常が有ることを検知部２２が検知しているとき、第２制御部２１２は、コンバータ回路（第１コンバータ回路４）が充電動作と放電動作とのうち放電動作のみを行えるようにする。したがって、電流検出回路６に異常が有って、電流検出回路６の検出電流値が誤った値であるときに、誤った検出電流値に応じて第１制御部２１１がコンバータ回路に放電動作を行わせる可能性を低減できる。例えば、電力系統へ逆潮流する電流が有るときに、第１制御部２１１がコンバータ回路に放電動作を行わせる可能性を低減できる。さらに、電流検出回路６に異常が有ることを検知部２２が検知している状態が所定時間Ｔ２継続すると、第２制御部２１２は、コンバータ回路を停止させる。したがって、電流検出回路６に異常が有る状態で所定時間Ｔ２よりも長時間、第１制御部２１１が検出電流値に応じてコンバータ回路を制御し続ける可能性を低減できる。つまり、上記の構成によれば、コンバータ回路に誤った制御が為される可能性を低減できる。
【０１２２】
また、第２の態様に係る制御装置２では、第１の態様において、電力系統と電力変換システム１（又は１Ａ）とは、Ｌ１相の配線Ｗ２１、Ｌ２相の配線Ｗ２２及びＮ相の配線Ｗ２３を含む単相３線式の電路Ｗ２において互いに接続される。電流検出回路６は、第１電流センサＣＴ１と、第２電流センサＣＴ２と、を含む。第１電流センサＣＴ１は、Ｌ１相の配線Ｗ２１に流れる電流を検出する。第２電流センサＣＴ２は、Ｌ２相の配線Ｗ２２に流れる電流を検出する。検知部２２は、第１電流センサＣＴ１が検出した第１検出電流値Ｉ１と、第２電流センサＣＴ２が検出した第２検出電流値Ｉ２とのうち少なくとも一方が、所定範囲ＲＡ１内の場合に、電流検出回路６に異常が有ることを検知する。
【０１２３】
上記の構成によれば、単相３線式の電路Ｗ２において電力系統と電力変換システム１（又は１Ａ）との間に流れる電流を、電流検出回路６の第１電流センサＣＴ１と第２電流センサＣＴ２とにより検出できる。また、単相３線式の電路Ｗ２において電力系統と電力変換システム１（又は１Ａ）との間に流れる電流を検出する電流検出回路６の異常の有無を、検知部２２が検知できる。
【０１２４】
また、第３の態様に係る制御装置２では、第２の態様において、電流検出回路６に異常が有ることを検知部２２が検知している状態が、所定時間Ｔ２継続する前に、第１検出電流値Ｉ１と第２検出電流値Ｉ２とが共に、規定の範囲ＲＡ２から外れると、検知部２２は、電流検出回路６に異常が無いことを検知する。規定の範囲ＲＡ２は、所定範囲ＲＡ１を包含する。
【０１２５】
まず、第１の態様において、電流検出回路６に異常が無いときであっても、電流検出回路６で検出される第１検出電流値Ｉ１と第２検出電流値Ｉ２とのうち少なくとも一方が一時的に所定範囲ＲＡ１内の値となり、電流検出回路６に異常が有ると検知部２２が誤検知する可能性がある。電流検出回路６に異常が有ると検知部２２が誤検知しているとき、第２制御部２１２は、コンバータ回路（第１コンバータ回路４）が充電動作と放電動作とのうち放電動作のみを行えるようにする。このような場合に、第３の態様によれば、第１検出電流値Ｉ１と第２検出電流値Ｉ２とが規定の範囲ＲＡ２から外れることで、検知部２２は、電流検出回路６に異常が無いことを検知する。これにより、第２制御部２１２は、コンバータ回路に放電動作を行わせることができる。つまり、検知部２２の誤検知が原因でコンバータ回路が放電動作を行えなくなっても、コンバータ回路は、再び放電動作を行えるようになる。
【０１２６】
また、第４の態様に係る制御装置２では、第３の態様において、蓄電池ＳＢ１の充電レベルが所定レベル以下になると、コンバータ回路（第１コンバータ回路４）は充電動作を行う。所定時間Ｔ２は、蓄電池ＳＢ１が満充電状態から自己放電して充電レベルが所定レベル以下になるのに要する時間よりも長い。
【０１２７】
上述の通り、第１の態様において、電流検出回路６に異常が無いにも関わらず電流検出回路６に異常が有ると検知部２２が誤検知する可能性がある。第４の態様によれば、蓄電池ＳＢ１の充電レベルが所定レベル以下になると、コンバータ回路（第１コンバータ回路４）は充電動作を行い、蓄電池ＳＢ１が充電される。これにより、電力系統と電力変換システム１（又は１Ａ）との間に流れる電流が変動するので、第１検出電流値Ｉ１と第２検出電流値Ｉ２とが共に、規定の範囲ＲＡ２から外れ、電流検出回路６に異常が無いことを検知部２２が検知することがある。すると、コンバータ回路は、再び放電動作を行えるようになる。さらに、所定時間Ｔ２は、蓄電池ＳＢ１が満充電状態から自己放電して充電レベルが所定レベル以下になるのに要する期間よりも長い。つまり、所定時間Ｔ２が経過して第２制御部２１２がコンバータ回路を停止させる前に、蓄電池ＳＢ１の充電レベルが所定レベル以下になる。したがって、検知部２２の誤検知が原因でコンバータ回路が放電動作を行えなくなった場合に、コンバータ回路が再び放電動作を行えるようになる可能性が高まる。
【０１２８】
また、第５の態様に係る制御装置２では、第１〜４の態様のいずれか１つにおいて、検知部２２は、少なくともコンバータ回路（第１コンバータ回路４）が放電動作を行っているときに、電流検出回路６の異常の有無を検知する。
【０１２９】
上記の構成によれば、コンバータ回路（第１コンバータ回路４）が放電動作を行っていないときにのみ、検知部２２が電流検出回路６の異常の有無を検知する場合と比較して、第１制御部２１１がコンバータ回路に誤って充電動作又は放電動作を行わせる可能性を低減できる。つまり、電流検出回路６に異常が有って、検出電流値が誤った値であるときに、誤った検出電流値に応じて第１制御部２１１がコンバータ回路に充電動作又は放電動作を行わせる可能性を低減できる。
【０１３０】
また、第６の態様に係る制御装置２は、第１〜５の態様のいずれか１つにおいて、提示部２６を更に有する。提示部２６は、電流検出回路６に異常が有ることを検知部２２が検知している状態が継続しているとき、現時点と、電流検出回路６に異常が有ることを検知部２２が検知している状態になってからの経過時間が所定時間Ｔ２に達する時点との間の時間の長さを表す情報を提示する。
【０１３１】
上記の構成によれば、ユーザは、現時点から、第２制御部２１２がコンバータ回路（第１コンバータ回路４）を停止させるまでの時間の長さを知ることができる。
【０１３２】
また、第７の態様に係る電力変換システム１（又は１Ａ）は、第１〜６の態様のいずれか１つに係る制御装置２と、インバータ回路３と、を備える。
【０１３３】
上記の構成によれば、電力変換システム１（又は１Ａ）の制御装置２によりコンバータ回路（第１コンバータ回路４）に誤った制御が為される可能性を低減できる。
【０１３４】
また、第８の態様に係る電力変換システム１（又は１Ａ）は、第７の態様において、コンバータ回路（第１コンバータ回路４）を更に備える。
【０１３５】
上記の構成によれば、電力変換システム１（又は１Ａ）の制御装置２によりコンバータ回路（第１コンバータ回路４）に誤った制御が為される可能性を低減できる。
【０１３６】
また、第９の態様に係る電力変換システム１（又は１Ａ）は、第８の態様において、中間バスＷ１と、電流検出回路６と、を更に備える。
【０１３７】
上記の構成によれば、電力変換システム１（又は１Ａ）の制御装置２によりコンバータ回路（第１コンバータ回路４）に誤った制御が為される可能性を低減できる。
【０１３８】
また、第１０の態様に係るプログラムは、コンピュータを、電力変換システム１（又は１Ａ）に備えられる制御装置２として機能させる。電力変換システム１（又は１Ａ）は、中間バスＷ１と、コンバータ回路（第１コンバータ回路４）と、インバータ回路３と、電流検出回路６と、を備える。中間バスＷ１は、分散型電源ＰＶ１に接続され、分散型電源ＰＶ１から直流電力が供給される。コンバータ回路は、蓄電池ＳＢ１及び中間バスＷ１に接続される。コンバータ回路は、充電動作と、放電動作と、を行う。コンバータ回路は、充電動作において、中間バスＷ１からの直流電力を蓄電池ＳＢ１に出力する。コンバータ回路は、放電動作において、蓄電池ＳＢ１からの直流電力を中間バスＷ１に出力する。インバータ回路３は、負荷７１（又は７２）及び電力系統に接続される。インバータ回路３は、中間バスＷ１を介してコンバータ回路及び分散型電源ＰＶ１に接続される。インバータ回路３は、中間バスＷ１からの直流電力を交流電力に変換して負荷７１（若しくは７２）又は電力系統に出力する。電流検出回路６は、電力変換システム１（又は１Ａ）と電力系統との間に流れる電流を検出する。制御装置２は、電流検出回路６が検出した検出電流値に応じてコンバータ回路及びインバータ回路３を制御する。制御装置２は、検出電流値に応じて電流検出回路６の異常の有無を検知する。制御装置２は、電流検出回路６に異常が有ることを検知しているとき、コンバータ回路が充電動作と放電動作とのうち充電動作のみを行えるようにする。制御装置２は、電流検出回路６に異常が有ることを検知している状態が所定時間Ｔ２継続すると、コンバータ回路を停止させる。
【０１３９】
上記の構成によれば、制御装置２によりコンバータ回路（第１コンバータ回路４）に誤った制御が為される可能性を低減できる。
【０１４０】
第２〜６の態様に係る構成については、制御装置２に必須の構成ではなく、適宜省略可能である。
【符号の説明】
【０１４１】
１、１Ａ  電力変換システム
２  制御装置
２１１  第１制御部
２１２  第２制御部
２２  検知部
２６  提示部
３  インバータ回路
４  第１コンバータ回路（コンバータ回路）
６  電流検出回路
７１、７２  負荷
ＣＴ１  第１電流センサ
ＣＴ２  第２電流センサ
Ｉ１  第１検出電流値
Ｉ２  第２検出電流値
ＰＶ１  分散型電源
ＲＡ１  所定範囲
ＲＡ２  規定の範囲
ＳＢ１  蓄電池
Ｔ２  所定時間
Ｗ１  中間バス
Ｗ２  電路
Ｗ２１、Ｗ２２、Ｗ２３  配線
【図１】
2019103161.tif 000003
【図２】
2019103161.tif 000004
【図３】
2019103161.tif 000005
【図４】
2019103161.tif 000006
【図５】
2019103161.tif 000007
【図６】
2019103161.tif 000008